(57)【要約】  本発明の無線通信システムは、基地局装置と、無線通信端末とを備える。前記無線通信端末が、前記基地局装置のセルまたは当該セルのセルグループを選択し、前記セルまたは前記セルグループの選択を示す情報を前記基地局装置に送信し、前記基地局装置が、前記情報を受信する。
2010104076.tif 000002
【特許請求の範囲】
【請求項１】
基地局装置と、無線通信端末とを備える無線通信システムであって、
前記無線通信端末が、
前記基地局装置のセルまたは当該セルのセルグループを選択し、
前記セルまたは前記セルグループの選択を示す情報を前記基地局装置に送信し、
前記基地局装置が、
前記情報を受信する、無線通信システム。
【請求項２】
請求項１に記載の無線通信システムにおいて、
前記基地局装置が、
前記無線通信端末の接続先の決定に際して、当該無線通信端末に選択されたセルもしくは選択されたセルと同一のセルグループのセル、または、当該無線通信端末に選択されたセルグループのセルを接続対象とする、無線通信システム。
【請求項３】
請求項２に記載の無線通信システムにおいて、
前記基地局装置が、
前記無線通信端末が接続要求をした時に、当該基地局装置との接続が許容される無線通信端末の許容リストを利用したアクセスコントロールを実施しない、無線通信システム。
【請求項４】
請求項３に記載の無線通信システムにおいて、
前記基地局装置が、
当該基地局装置との接続が拒否される無線通信端末のブラックリストを管理し、
前記無線通信端末が接続要求をした時に、前記ブラックリストを利用したアクセスコントロールを実施する、無線通信システム。
【請求項５】
請求項４に記載の無線通信システムにおいて、
前記基地局装置が許容リストを利用したアクセスコントロールを実施しない場合に、前記無線通信端末との接続可否を判断し、接続を拒否する場合、当該無線通信端末を前記基地局装置のブラックリストに追加するコアネットワークノードをさらに有する、無線通信システム。
【請求項６】
請求項５に記載の無線通信システムにおいて、
前記基地局装置のブラックリストには、当該ブラックリストに前記無線通信端末が存続することが可能な有効時間が設定されている、無線通信システム。
【請求項７】
請求項６に記載の無線通信システムにおいて、
前記有効時間は、前記基地局装置の上位ノードから指定される、無線通信システム。
【請求項８】
請求項５から７のいずれか１項に記載の無線通信システムにおいて、
前記基地局装置のブラックリストには、前記無線通信端末の登録可能な最大数が設定されている、無線通信システム。
【請求項９】
請求項８に記載の無線通信システムにおいて、
前記基地局装置のブラックリストは、最大数の前記無線通信端末が登録されている状態で新規の無線通信端末を登録する場合、当該新規の無線通信端末の登録と最古の無線通信端末の削除が可能である、無線通信システム。
【請求項１０】
請求項１に記載の無線通信システムにおいて、
ゲートウェイ装置をさらに有し、
前記基地局装置が、
前記セルグループまたは前記セルの選択を示す情報を前記ゲートウェイ装置に送信し、
前記ゲートウェイ装置が、
前記情報を受信する、無線通信システム。
【請求項１１】
請求項１０に記載の無線通信システムにおいて、
前記ゲートウェイ装置が、
前記無線通信端末の接続先の決定に際して、当該無線通信端末に選択されたセルもしくは選択されたセルと同一のセルグループのセル、または、当該無線通信端末に選択されたセルグループのセルを接続対象とする、無線通信システム。
【請求項１２】
請求項１１に記載の無線通信システムにおいて、
前記ゲートウェイ装置が、
前記無線通信端末が接続要求をした時に、当該ゲートウェイ装置との通信が許容される無線通信端末の許容リストを利用したアクセスコントロールを実施しない、無線通信システム。
【請求項１３】
請求項１２に記載の無線通信システムにおいて、
前記ゲートウェイ装置が、
当該ゲートウェイ装置との接続が拒否される無線通信端末のブラックリストを管理し、
前記無線通信端末が接続要求をした時に、前記ブラックリストを利用したアクセスコントロールを実施する、無線通信システム。
【請求項１４】
請求項１３に記載の無線通信システムにおいて、
前記ゲートウェイ装置が許容リストを利用したアクセスコントロールを実施しない場合に、前記無線通信端末との接続可否を判断し、接続を拒否する場合、当該無線通信端末を前記ゲートウェイ装置のブラックリストに追加するコアネットワークノードをさらに有する、無線通信システム。
【請求項１５】
請求項１４に記載の無線通信システムにおいて、
前記ゲートウェイ装置のブラックリストには、当該ブラックリストに前記無線通信端末が存続することが可能な有効時間が設定されている、無線通信システム。
【請求項１６】
請求項１５に記載の無線通信システムにおいて、
前記有効時間は、前記ゲートウェイ装置の上位ノードから指定される、無線通信システム。
【請求項１７】
請求項１４から１６のいずれか１項に記載の無線通信システムにおいて、
前記ゲートウェイ装置のブラックリストには、前記無線通信端末の登録可能な最大数が設定されている、無線通信システム。
【請求項１８】
請求項１７に記載の無線通信システムにおいて、
前記ゲートウェイ装置のブラックリストは、最大数の前記無線通信端末が登録されている状態で新規の無線通信端末を登録する場合、当該新規の無線通信端末の登録と最古の無線通信端末の削除が可能である、無線通信システム。
【請求項１９】
請求項１に記載の無線通信システムにおいて、
前記基地局装置が、
前記無線通信端末から、マクロセルの選択を示す情報を受信し、
前記無線通信端末の接続先の決定に際して、当該無線通信端末に選択されたマクロセルもしくは近隣のマクロセルを接続対象とする、無線通信システム。
【請求項２０】
請求項１に記載の無線通信システムにおいて、
基地局制御装置をさらに有し、
前記基地局装置が、
前記無線通信端末から、マクロセルの選択を示す情報を受信し、前記情報を前記基地局制御装置に送信し、
前記基地局制御装置が、
前記情報を受信する、無線通信システム。
【請求項２１】
請求項２０に記載の無線通信システムにおいて、
前記基地局制御装置が、
前記無線通信端末の接続先の決定に際して、当該無線通信端末に選択されたマクロセルもしくは近隣のマクロセルを接続対象とする、無線通信システム。
【請求項２２】
基地局装置であって、
無線通信端末による、前記基地局装置のセルまたは当該セルのセルグループの選択を示す情報を、前記無線通信端末から受信する受信部を有する基地局装置。
【請求項２３】
無線通信端末であって、
基地局装置のセルまたは当該セルのセルグループを選択する選択部と、
前記セルまたは前記セルグループの選択を示す情報を前記基地局装置に送信する送信部と、有する無線通信端末。
【請求項２４】
ゲートウェイ装置であって、
無線通信端末による、基地局装置のセルまたは当該セルのセルグループの選択を示す情報を、前記基地局装置から受信する受信部を有するゲートウェイ装置。
【請求項２５】
基地局装置と、無線通信端末とを備える無線通信システムによる通信方法であって、
前記無線通信端末が、前記基地局装置のセルまたは当該セルのセルグループを選択し、
前記無線通信端末が、前記セルまたは前記セルグループの選択を示す情報を前記基地局装置に送信し、
前記基地局装置が、前記情報を受信する、通信方法。
【請求項２６】
基地局装置による通信方法であって、
無線通信端末による、前記基地局装置のセルまたは当該セルのセルグループの選択を示す情報を、前記無線通信端末から受信する、通信方法。
【請求項２７】
無線通信端末による通信方法であって、
基地局装置のセルまたは当該セルのセルグループを選択し、
前記セルまたは前記セルグループの選択を示す情報を前記基地局装置に送信する、通信方法。
【請求項２８】
ゲートウェイ装置による通信方法であって、
無線通信端末による、基地局装置のセルまたは当該セルのセルグループの選択を示す情報を、前記基地局装置から受信する、通信方法。
【発明の詳細な説明】
【技術分野】
【０００１】
本発明は、無線通信システム、基地局装置、無線通信端末、ゲートウェイ装置、通信方法に関する。
【背景技術】
【０００２】
無線通信システムにおいて、UE（User  Equipment）を使用するユーザが、セルに付与された名称（例えば、HNB  Name）または、セルに付与された限定加入者グループ（以下、CSG:  Closed  Subscriber  Group)を、手動選択する場合がある。ここでHNB  NameはユーザがCSG  IDを認識しやすいテキスト等になっていて、ユーザが選択後、対応するCSG  IDを選択したものとしてUE内部で解釈される。【０００３】
ユーザによるCSGの手動選択においては、そのユーザが使用するUEに許容されているCSGリスト(以下、Allowed  CSG  List)に含まれるCSGであっても、含まれないCSGであっても選択可能である。【０００４】
もし、ユーザがUEのAllowed  CSG  Listには含まれないCSGを選択して、UEがCore  Network  Nodeへの接続を試みる場合、その接続手順中に、UEは、そのUEに対するアクセスコントロールに関するデータベースと接続されているCore  Network  Nodeと通信を行い、接続完了通知メッセージをCore  Network  Nodeから受信することを通して、UEのAllowed  CSG  ListにCSGを含める更新手順を実施することが可能である(非特許文献１参照)。【０００５】
ただし、UEは、Core  Network  Nodeとの接続を始めるまでの間に、まず、H(e)NB（Home  NBまたはHome  eNB）との間でRRC  Connectionの確立手順を実施し、続いて、H(e)NB  GW（Home  NB  GWまたはHome  eNB  GW）との間でUE  Registrationの手順を実施し、その後に、Core  Network  Nodeへの接続を試みることになる。しかし、H(e)NBでも、RRC  Connectionの確立を行うかを判断するため、UEのアクセスコントロール手順を実施し、また、H(e)NB  GWでも、UE  Registrationを受け入れるか判断するため、UEのアクセスコントロール手順(非特許文献２参照)を実施する。
【先行技術文献】
【非特許文献】
【０００６】
【非特許文献１】TS  25.304.8.3.0
【非特許文献２】TS  25.469  1.0.0
【発明の概要】
【発明が解決しようとする課題】
【０００７】
しかし、例えば、UEが、ユーザが手動選択によってUEのAllowed  CSG  Listに含まれないCSGを選択して、該当するCSGが付与されたセルへCore  Network  Nodeへの接続を試みる場合には、UEとCore  Network  Nodeとの間の中間ノードであるH(e)NBやH(e)NB  GWによって接続が拒否されてしまう問題がある。この結果、UEは選択したCSGをUEのAllowed  CSG  Listに含めることができず、更にはCore  Network  Nodeとの接続もできないという極めて深刻な問題が生じる。【０００８】
この問題は、UEのユーザがセルに付与された名称または限定加入者グループを選択したことを、ネットワーク側で知る手段がないことに起因している。【０００９】
そこで、本発明の目的は、UEにおいてユーザがセルに付与された名称または限定加入者グループを選択したことを、H(e)NBを含むネットワーク側で知ることができる無線通信システム、基地局装置、無線通信端末、ゲートウェイ装置、通信方法を提供することにある。
【課題を解決するための手段】
【００１０】
本発明の無線通信システムは、
基地局装置と、無線通信端末とを備える無線通信システムであって、
前記無線通信端末が、
前記基地局装置のセルまたは当該セルのセルグループを選択し、
前記セルまたは前記セルグループの選択を示す情報を前記基地局装置に送信し、
前記基地局装置が、
前記情報を受信する。【００１１】
本発明の基地局装置は、
無線通信端末による、前記基地局装置のセルまたは当該セルのセルグループの選択を示す情報を、前記無線通信端末から受信する受信部を有する。【００１２】
本発明の無線通信端末は、
基地局装置のセルまたは当該セルのセルグループを選択する選択部と、
前記セルまたは前記セルグループの選択を示す情報を前記基地局装置に送信する送信部と、有する。【００１３】
本発明のゲートウェイ装置は、
無線通信端末による、基地局装置のセルまたは当該セルのセルグループの選択を示す情報を、前記基地局装置から受信する受信部を有する。【００１４】
本発明の第１の通信方法は、
基地局装置と、無線通信端末とを備える無線通信システムによる通信方法であって、
前記無線通信端末が、前記基地局装置のセルまたは当該セルのセルグループを選択し、
前記無線通信端末が、前記セルまたは前記セルグループの選択を示す情報を前記基地局装置に送信し、
前記基地局装置が、前記情報を受信する。【００１５】
本発明の第２の通信方法は、
基地局装置による通信方法であって、
無線通信端末による、前記基地局装置のセルまたは当該セルのセルグループの選択を示す情報を、前記無線通信端末から受信する。【００１６】
本発明の第３の通信方法は、
無線通信端末による通信方法であって、
基地局装置のセルまたは当該セルのセルグループを選択し、
前記セルまたは前記セルグループの選択を示す情報を前記基地局装置に送信する。【００１７】
本発明の第４の通信方法は、
ゲートウェイ装置による通信方法であって、
無線通信端末による、基地局装置のセルまたは当該セルのセルグループの選択を示す情報を、前記基地局装置から受信する。
【発明の効果】
【００１８】
本発明の無線通信システムによれば、無線通信端末は、基地局装置のセルまたは当該セルのセルグループを選択し、セルまたはセルグループの選択を示す情報を基地局装置に送信し、基地局装置は、その情報を受信する。【００１９】
したがって、無線通信端末は、セルまたはセルグループを選択したことを基地局装置に通知することができるという効果が得られる。
【図面の簡単な説明】
【００２０】
【図１】UEの構成を示す図である。
【図２】NBの構成を示す図である。
【図３】GWの構成を示す図である。
【図４】無線通信システムの構成を示す図である。
【図５】UEの構成を示す図である。
【図６】H(e)NBの構成を示す図である。
【図７】H(e)NB  GWの構成を示す図である。
【図８】Core  Network  Nodeの構成を示す図である。
【図９】UE-CSG関係登録データを含む外部サーバとCore  Network  Nodeとの接続関係を示す図である。
【図１０】UEブラックリストメモリの構成を示す図である。
【図１１】ユーザ手動選択による接続要求の動作を説明するシーケンス図である。
【図１２】新規パラメータ“Manual  CSG  ID  Selection”を設定したRRC  CONNECTION  REQUESTメッセージを示す図である。
【図１３】“Establishment  Cause”を含むRRC  Connection  Request  messageの送信動作を説明するシーケンス図である。
【図１４】既存パラメータ“Establishment  Cause”に、新規値“Manual  CSG  ID  Selection”を設定したRRC  Connection  Request  messageもしくはRRC  Initial  Direct  Transfer  messageを示す図である。
【図１５】RRC  Connection  Setup  Complete  messageの送信動作を説明するシーケンス図である。
【図１６】新規パラメータ“Manual  CSG  ID  Selection”を設定したRRC  Connection  Setup  Complete  messageを示す図である。
【図１７】RRC  Initial  Direct  Transfer  messageの送信動作を説明するシーケンス図である。
【図１８】新規パラメータ“Manual  CSG  ID  Selection”を設定したRRC  Initial  Direct  Transfer  messageを示す図である。
【図１９】RRC  Uplink  Direct  Transfer  (MM:  Identity  Response)  messageの送信動作を説明するシーケンス図である。
【図２０】新規パラメータ“Manual  CSG  ID  Selection”を設定したRRC  Uplink  Direct  Transfer  (MM:  Identity  Response)  messageを示す図である。
【図２１】新規パラメータ“Manual  CSG  ID  Selection”の仕様を示す図である。
【図２２】新規値“Manual  CSG  ID  Selection”を設定するCS  Domainの既存パラメータ“Establishment  Cause”の仕様を示す図である。
【図２３】新規値“Manual  CSG  ID  Selection”を設定するPS  Domainの既存パラメータ“Establishment  Cause”の仕様を示す図である。
【図２４】“Register  Cause”を含むHNBAP  UE  Register  Request  messageの送信動作を説明するシーケンス図である。
【図２５】H(e)NBでのアクセスコントロールの動作を説明するフローチャートである。
【図２６】H(e)NB  GWでのアクセスコントロールの動作を説明するフローチャートである。
【図２７】H(e)NB及びH(e)NB  GWでのUEブラックリストの登録・削除動作を説明するフローチャートである。
【図２８】H(e)NB  GW及びH(e)NBに接続されるUEの接続先再設定の動作を説明するフローチャートである。
【図２９】無線通信システムの他の構成を示す図である。
【発明を実施するための形態】
【００２１】
まず、本発明の概要を説明する。
【００２２】
本発明においては、UEは、ユーザが手動選択によってCSGを選択した場合、ユーザに手動選択されたCSGに接続要求をしていることを示すパラメータもしくはCause値が設定された接続要求メッセージを、H(e)NBへ送信する。また、H(e)NBは、ユーザに手動選択されたセルに接続要求をしていることを示すパラメータまたはCause値が設定されたUE  Register  Requestメッセージを、H(e)NB  GWへ送信する。
【００２３】
したがって、H(e)NB及びH(e)NB  GWにおける、手動選択による接続要求を実施してきたUEのアクセスコントロールを無効化することができる。そのため、Allowed  CSG  Listを管理しているCore  Network  Nodeとのその後の接続手順の成功が期待され、その接続手順の成功によって、UEのAllowed  CSG  ListにCSGを追加する更新手順を実現できる。
【００２４】
ただし、H(e)NB及びH(e)NB  GWにおけるアクセスコントロールを無効化した場合、UEのアクセスコントロールはCore  Network  Nodeでのみ実施するしかなくなる。この場合、Core  Network  Nodeにおいて、不正や実装ミスなどのUEのアクセスコントロールに失敗したとしても、UEから手動選択による接続要求を繰り返し何度も行うことが可能となる。その場合には、H(e)NB及びH(e)NB  GWにおいてアクセスを拒否することができず、Core  Network  Nodeでのアクセスコントロール処理の負荷が増大する。さらに、そのようなUEが非常に多いと、Core  Network  Nodeの負荷増大の影響として、Core  Network  Nodeの過負荷によるシステムダウンを及ぼす可能性がある。
【００２５】
そこで、本発明においては、Core  Network  NodeによるUEのアクセスコントロールで接続不可とするUEを、H(e)NB及びH(e)NB  GWが保持するUEのブラックリストに登録する。H(e)NB及びH(e)NB  GWは、アクセスコントロールにおいて、接続要求メッセージの送出元UEがブラックリストに含められるUEであれば、そのUEの接続要求を拒否する。
【００２６】
したがって、不正や実装ミスのUEが手動選択による接続要求を実施してきた場合には、H(e)NBおよびH(e)NB  GWにおけるアクセスコントロールを有効のままにすることが可能である。その結果、Core  Network  NodeにおけるUEのアクセスコントロール処理負荷を低減できる。
【００２７】
ただし、H(e)NBおよびH(e)NB  GWが管理するエリアが広い、もしくは、H(e)NBおよびH(e)NB  GWが多くのユーザが集まるような箇所に設置される場合、ブラックリストに登録するUEが非常に多くなることが予想される。その結果、必要なメモリ領域の増大によってメモリ不足となる可能性があると共に、処理負荷の増大によって処理能力不足となる可能性がある。さらに、そのようなUEが非常に多いと、H(e)NBおよびH(e)NB  GWのメモリ負荷増大、処理負荷増大の影響として、H(e)NBおよびH(e)NB  GWの過負荷によるシステムダウンを及ぼす可能性がある。
【００２８】
そこで、本発明においては、H(e)NB及びH(e)NB  GWにおけるアクセスコントロールにおいて、H(e)NB及びH(e)NB  GWに保持されるUEのブラックリストには、UE毎の有効時間タイマー及び最大登録可能UE数を設定している。そして、UEに用意された有効時間タイマーの満了時に、そのUEをブラックリストから削除する。また、ブラックリストに最大数のUEが登録されている場合には、最も古くブラックリストに登録されたUEを削除し、最新のUEをブラックリストに登録する。
【００２９】
したがって、H(e)NB及びH(e)NB  GWにおけるメモリ使用量の節約と、処理負荷の低減と、が可能になる。また、実装ミスのUEが後に修理された場合、永久にUEのブラックリストに登録されたままになることを排除することも可能である。また、ユーザの手動選択ミスによってCSGが選択されたUEが、永久にブラックリストに登録されたままになることを排除することも可能である。
【００３０】
また、本発明においては、H(e)NB及びH(e)NB  GWにおける接続制御の再配置処理において、UEが選択したCSGのセルに留まらせるか、当該セルと同じCSG  IDを持つ近隣セルへの移動のみを許容する。
【００３１】
したがって、ユーザが希望するCSGにUEを接続させることが実現できるため、UEが、ユーザの希望したCSGと異なるCSGもしくはマクロセルに移動させられてしまい、その結果、ユーザの希望したCSGと異なるCSGもしくはマクロセルに在圏してしまうことを回避することが可能である。
【００３２】
また、本発明においては、UEは、ユーザが手動選択によってマクロセルを選択し、UEが、Node  Bを経由してRNCへ、もしくは、eNBへ、接続要求を行う場合、ユーザに手動選択されたマクロセルに接続要求をしていることを通知する。さらに、Node  B及びRNC、もしくは、eNBにおける接続制御の再配置処理において、UEが選択したマクロセルに留まるか、近隣のマクロセルへの移動のみを許容する。
【００３３】
したがって、ユーザが希望していないCSGのフェムトセルではなく、ユーザが希望するマクロセルにUEを接続させることが実現できるため、UEが、CSGのH(e)NBに移動させられてしまい、その結果、ユーザの希望したマクロセルと異なるCSGのH(e)NBのフェムトセルに在圏してしまうことを回避することが可能である。
【００３４】
次に、本発明の実施の形態について図面を参照して詳細に説明する。
【００３５】
（第１の実施形態）
図１、図２および図３に、本発明の第１の実施形態に係るＵＥ４０、ＮＢ３０およびＧＷ２０の構成をそれぞれ示す。
【００３６】
図１に示すように、無線通信端末（ＵＥ：Ｕｓｅｒ  Ｅｑｕｉｐｍｅｎｔ）４０は、基地局装置のセルに関する情報を受信する受信部４１と、該セルに関する情報（該セルに付与される情報）を選択する選択部４２と、該セルに関する情報の選択を示す情報を基地局装置（ＮＢ：Ｎｏｄｅ−Ｂ）３０に送信する送信部４３と、を有している。
【００３７】
また、図２に示すように、ＮＢ３０は、ＵＥ４０から、セルに関する情報の選択を示す情報を受信する受信部３１と、受信したセルに関する情報の選択を示す情報に基づいて、ＵＥ４０からのアクセスを許可するよう制御する制御部３２と、を有する。なお、ＮＢ３０は、受信部３１で受信したセルに関する情報の選択を示す情報をゲートウェイ装置（ＧＷ：Ｇａｔｅｗａｙ）２０に送信する送信部３３を更に有しても良い。
【００３８】
また、図３に示すように、ＧＷ２０は、ＮＢ３０から、セルに関する情報の選択を示す情報を受信する受信部２１と、受信したセルに関する情報の選択を示す情報に基づいて、ＵＥ４０からのアクセスを許可するよう制御する制御部２２と、を有する。
【００３９】
したがって、本実施形態においては、ＵＥ４０は、セルに関する情報の選択を示す情報をＮＢ３０またはＧＷ４０に通知することができる。
【００４０】
なお、セルに関する情報とは、セルを識別するもしくはセルの属性を示す情報であって、例えば、セルそのもの、CSG、CSG  ID、HNB  Nameなどである。
【００４１】
（第２の実施形態）
図４を参照すると、本発実施形態の無線通信システムの構成が示されている。
【００４２】
図４において、無線通信システムは、Core  Network  Node１００と、RNC１０１と、Node  B１０２と、eNB１０３と、H(e)NB  GW２００と、H(e)NB３００と、UE４００と、を有している。
【００４３】
Core  Network  Node１００は、RNC１０１、eNB１０３、及びH(e)NB  GW２００と接続されている。
【００４４】
RNC１０１は、Node  B１０２と接続されている。
【００４５】
Node  B１０２は、マクロセル５０２を構成している。
【００４６】
eNB１０３は、LTE向けのマクロセル５０３を構成している。
【００４７】
H(e)NB  GW２００は、インターネットを介し、H(e)NB３００と接続されている。
【００４８】
H(e)NB３００は、CSG  ID５０を保持するフェムトセル５０１を構成している。
【００４９】
UE４００は、必要に応じてマクロセル５０２もしくはフェムトセル５０１を選択する。
【００５０】
UE４００とCore  Network  Node１００間は、マクロセル５０１を選択する場合には、Node  B１０２,RNC１０１を介して接続され、LTE用マクロセル５０３を選択する場合には、eNB１０３を介して接続され、フェムトセル５０１を選択する場合には、H(e)NB３００,  H(e)NB  GW２００を介して接続されている。
【００５１】
図５を参照すると、図４に示すUE４００の構成の詳細が示されている。
【００５２】
図５において、UE４００は、送受信アンテナ４００１と、送信処理部４００２と、受信処理部４００３と、CSGセル選択処理部４００４と、Allowed  CSG  List記憶メモリ４００５と、近隣セルリスト記憶メモリ４００６と、ユーザ選択CSG入出力部４００７と、を有している。
【００５３】
送受信アンテナ４００１は、近隣のマクロセル及びフェムトセルのSystem  Information情報を取得し、受信処理部４００３は、受信処理を実施する。近隣セルリスト記憶メモリ４００６は、各近隣フェムトセルのCSG  IDと各近隣マクロセルの情報を記憶する。
【００５４】
CSGセル選択処理部４００４は、自動選択の場合、近隣セルリスト記憶メモリ４００６から、Allowed  CSG  List記憶メモリ４００５に記憶される少なくとも1つのCSG  IDと同じCSG  IDが設定されているフェムトセルとマクロセルの中から、適したセルを選択する。
【００５５】
一方、手動選択の場合、近隣セルリスト記憶メモリ４００６は、Allowed  CSG  List記憶メモリ４００５に関係なく、CSG  IDが設定されているフェムトセルをユーザ選択CSG入出力部４００７に出力する。そして、CSGセル選択処理部４００４は、ユーザが選択したCSG  IDをユーザ選択CSG入出力部４００７から取得し、ユーザが選択したCSG  IDを持つフェムトセルを選択する。ここで選択されたセルの情報は、送信処理部４００２及び送受信アンテナ部４００１を通して、接続要求メッセージ(以下、RRC  Connection  Request  message)としてH(e)NB３００に送信される。
【００５６】
本発明の特徴の１つは、UE４００からH(e)NB３００へ送信するRRC  Connection  Request  messageにおいて、ユーザによってCSGが手動選択されたことを通知すること（以下、Manual  CSG  ID  Selection  parameter設定）にある。
【００５７】
図６を参照すると、図４に示すH(e)NB３００の詳細な構成が示されている。
【００５８】
図６において、H(e)NB３００は、送受信アンテナ３００１と、無線信号送受信部３００２と、接続UE情報識別処理部３００３と、アクセスコントロール処理部３００４と、許容UEリスト登録メモリ３００５と、UEブラックリスト登録メモリ３００６と、H(e)NB  GW向け信号送受信処理部３００７と、H(e)NB  GW接続ライン３００８と、を有している。
【００５９】
無線信号送受信部３００２は、UE４００から送信されてきたメッセージを、送受信アンテナ３００１を通して受信する。接続UE情報識別処理部３００３は、無線信号送受信部３００２におけるメッセージの受信時に、そのメッセージを送信してきたUE４００を識別する。UE４００の識別方法としては、UE４００のIMSI(International  Mobile  Subscribed  Identity)またはTMSI(Temporary  Mobile  Subscriber  Identity)またはP-TMSI(Packet-TMSI)またはIMEI(International  Mobile  Equipment  Identity)を使用する方法がある。
【００６０】
本発明の特徴の１つは、UE４００が、RRC  Connection  Request  message内のManual  CSG  ID  Selection  parameterにおいて、ユーザによってCSGが手動選択されたことを意味するManual  CSG  ID  Selection  parameterを設定することにある。
【００６１】
UE４００からのRRC  Connection  Request  messageにManual  CSG  ID  Selection  parameterが設定されていない場合、アクセスコントロール処理部３００４は、当該UE４００が許容UEリスト登録メモリ３００５に存在するかどうかを検証し、当該UE４００が存在する場合に接続を許容する。
【００６２】
UE４００からのRRC  Connection  Request  messageにManual  CSG  ID  Selection  parameterが設定されている場合、アクセスコントロール処理部３００４は、当該UE４００が本発明の特徴の１つであるUEブラックリスト登録メモリ３００６に存在しないかどうかを検証し、当該UE４００が存在しない場合に接続を許容する。
【００６３】
UE４００の接続が許容される場合、H(e)NB  GW向け信号送受信処理部３００７は、H(e)NB  GW接続ライン３００８を通して、UE４００の登録要求メッセージ（以下、HNBAP:  UE  Register  Request  message）を送信する。
【００６４】
本発明の特徴の１つは、H(e)NB３００が、このときに送信するHNBAP:  UE  Register  Request  messageにおいて、ユーザ手動選択によってCSGが選択された場合には、ユーザ手動選択によってCSGが選択されたこと（以下、Manual  CSG  ID  Selection  parameter設定）を含めることにある。
【００６５】
H(e)NB  GW向け信号送受信処理部３００７は、H(e)NB  GW接続ライン３００８から受信した、HNBAP:  UE  Register  Request  messageに対する応答(以下、HNBAP:  UE  Register  Response  message)において、UE４００の登録が成功したことを示しているとき、RANAP:  Initial  UE  messageをH(e)NB  GW２００経由でCore  Network  Node１００に送信する。
【００６６】
なお、図６における各部の構成のうち、UEブラックリスト登録メモリ３００６、UEブラックリスト登録メモリ３００６を利用したアクセスコントロール処理部３００４でのアクセスコントロール処理、及び、HNBAP:  UE  Register  Request  message内のManual  CSG  ID  Selection  parameter設定、を除いた構成は、当事者によってよく知られている構成であり、本発明とは直接関係しない。
【００６７】
図７を参照すると、図４に示すH(e)NB  GW２００の詳細な構成が示されている。
【００６８】
図７において、H(e)NB  GW２００は、H(e)NB接続ライン２００１と、H(e)NB信号送受信部２００２と、接続UE情報識別処理部２００３と、アクセスコントロール処理部２００４と、許容UEリスト登録メモリ２００５と、UEブラックリスト登録メモリ２００６と、Core  Network  Node向け信号送受信処理部２００７と、Core  Network  Node接続ライン２００８と、を有している。
【００６９】
H(e)NB信号送受信部２００２が、H(e)NB３００からH(e)NB接続ライン２００１を通してHNBAP:  UE  Register  Request  messageを受信した場合、接続UE情報識別処理部２００３は、HNBAP:  UE  Register  Request  messageを送信してきたUE４００を識別する。UE４００の識別方法としては、UEのIMSIまたはTMSIまたはP-TMSIまたはIMEIを使用する方法がある。
【００７０】
本発明の特徴の１つは、HNBAP:  UE  Register  Request  message内のManual  CSG  ID  Selection  parameterにおいて、ユーザによってCSGが手動選択されたことを意味するManual  CSG  ID  Selection  parameterを設定することにある。
【００７１】
HNBAP:  UE  Register  Request  messageにManual  CSG  ID  Selection  parameterが設定されていない場合、コントロール処理部２００４は、当該UE４００が許容UEリスト登録メモリ２００５に存在するかどうかを検証し、当該UE４００が存在する場合に接続を許容する。
【００７２】
HNBAP:  UE  Register  Request  messageにManual  CSG  ID  Selection  parameterが設定されている場合、コントロール処理部２００４は、当該UE４００が本発明の特徴の１つであるUEブラックリスト登録メモリ２００５に存在しないかどうかを検証し、当該UE４００が存在しない場合に接続を許容する。
【００７３】
接続が許容される場合、H(e)NB信号送受信部２００２は、H(e)NB接続ライン２００１からHNBAP:  UE  Register  Response  messageを送信する。
【００７４】
接続が非許容の場合、H(e)NB信号送受信部２００２は、HNBAP:  UE  Register  Reject  messageを送信する。そのときの拒否理由は、Manual  CSG  ID  Selectionによって選択されたCSGは利用できないことを意味する値(例えば、Selected  CSG  not  Allowed)となる。
【００７５】
なお、図７における各部の構成のうち、UEブラックリスト登録メモリ２００６、UEブラックリスト登録メモリ２００６を利用したアクセスコントロール処理部２００４でのアクセスコントロール処理、HNBAP:  UE  Register  Request  message内のManual  CSG  ID  Selection  parameter設定判定、及びHNBAP:  UE  Register  Reject  message内の拒否理由値の  Selected  CSG  not  allowed設定、を除いた構成は、当事者によってよく知られている構成であり、本発明とは直接関係しない。
【００７６】
図８を参照すると、図４に示すCore  Network  Node１００の詳細な構成が示されている。
【００７７】
図８において、Core  Network  Node１００は、H(e)NB  GW接続ライン１００１と、H(e)NB  GW信号送受信処理部１００２と、接続UE情報識別処理部１００３と、アクセスコントロール処理部１００４と、UE-CSG関係登録データ１００５と、を有している。なお、図８において、RNC１０１との接続部分の構成やeNB１０３との接続部分の構成については、本発明には関係ないので省略する。
【００７８】
H(e)NB  GW信号送受信処理部１００２は、H(e)NB３００からH(e)NB  GW２００及びH(e)NB  GW接続ライン１００１を通して、UE４００の接続要求にあたるRANAP:  Initial  UE  messageを受信した場合、受信処理を実施し、接続UE情報識別処理部１００３は、当該UE４００を識別する。UE４００の識別方法としては、UE４００のIMSIまたはTMSIまたはP-TMSIまたはIMEIを使用する方法がある。
【００７９】
アクセスコントロール処理１００４は、UE-CSG関係登録データ１００５を参照して、RANAP:  Initial  UE  messageに含まれるCSG  IDのエリアがUE４００に許容されるかどうか確認し、許容される場合はUE４００の接続を可能とし、非許容の場合はUE４００の接続を拒否する。
【００８０】
接続を可能とするとき、本発明の特徴の１つとして、Core  Network  Node１００は、H(e)NB３００及びH(e)NB  GW２００におけるアクセスコントロール処理において利用される許容UEリスト登録メモリ３００５及び２００５に、UE４００を許容するための通知を行う。例えば、ＴＲ０６９（エンド・ユーザ機器の遠隔管理のためのアプリケーション層のプロトコル）を利用して許容UEリスト登録メモリ３００５及び２００５を更新する。
【００８１】
接続を拒否するとき、Core  Network  Node１００は、既に接続されたUE４００-H(e)NB３００間のRRC  Connectionと、H(e)NB３００-H(e)NB  GW２００間のNetwork  Resourceと、を解放するために、RANAP:  Iu  Release  Commandを通知する。
【００８２】
本発明の特徴の１つとして、このRANAP:  Iu  Release  Commandにおいて、手動選択によって選択されたCSG  IDは無効であるものとして、既存パラメータ”Cause”に、新規値として“Selected  CSG  not  allowed”を設定する。
【００８３】
なお、図８における各部の構成のうち、接続許容時のH(e)NBの許容UEリスト登録メモリ３００５の更新処理、H(e)NB  GWの許容UEリスト登録メモリ２００５の更新処理、及び、接続拒否時のRANAP:  Iu  Release  Commandにおける既存パラメータ”Cause”の“Selected  CSG  not  allowed”設定、を除いた構成は、当事者によってよく知られている構成であり、本発明とは直接関係しない。
【００８４】
UE-CSG関係登録データ１００５は、図９のように、Core  Network  Node１００の外部サーバ１０４に設置されていて、Core  Network  Node１００は、外部サーバ１０４間の接続ライン１０４１を介して、UE４００の接続可否を管理してもよい。
【００８５】
この構成の場合、外部サーバ１０４は、Core  Network  Node１００から接続ライン１０４１を介して、接続されているUE４００に対して、当該UE４００が接続しているエリアのCSG  IDがAllowed  CSG  Listに含められるかどうか問い合わせを受ける。外部サーバ１０４は、当該UE４００のAllowed  CSG  Listに当該CSG  IDが含められる場合は接続許容を、含められない場合は接続非許容を、接続ライン１０４１を介してCore  Network  Node１００へ通知する。
【００８６】
図１０において、図６及び図７に示したUEブラックリスト登録メモリ２００５及び３００５の詳細な構成を説明する。
【００８７】
UEブラックリスト登録メモリ２００５及び３００５においては、手動選択による接続要求をしてきたUE４００であってもアクセス拒否される必要のあるUE４００のリストが登録され、それぞれのエントリーには有効時間が設けられる。また、このリストには登録可能なエントリーの上限もあわせて設けられる。有効時間が過ぎると、そのエントリーは無効となり、このUEブラックリストメモリからは削除され、また、最大登録可能エントリー数を超えた数のUE４００の登録があると、最も古いエントリーから削除されることとなる。
【００８８】
以下に、図４に示した無線通信システムの動作について説明する。
【００８９】
図１１に、ユーザ手動選択による接続要求の動作を示す。
【００９０】
図１１において、ユーザが手動選択によってCSGを選択し、UE４００がネットワークに接続要求を行うとき、UE４００からH(e)NB３００へ送信するRRC  Connection  Request  messageには、本発明の特徴の１つとして、手動選択の場合には、手動選択をしたことを示す新規パラメータ“Manual  CSG  ID  Selection”を設定する（図１２）。
【００９１】
このように、本実施形態では、UE４００からH(e)NB３００へ送信するRRC  Connection  Request  messageにおいて、手動選択をしたことを示すIndicator  “Manual  CSG  ID  Selection”を設定しているので、H(e)NB３００において、許容UEリストを利用したアクセスコントロールをしない制御が実現でき、それによりUE４００のアクセスが拒否されないために、UE４００は、次のステップであるH(e)NB  GW２００へのUE  Registration  Procedureを実施することができる。
【００９２】
なお、上記RRC  Connection  Request  messageにおいて、手動選択をしたことを示す新規パラメータ“Manual  CSG  ID  Selection”の代わりに、既存パラメータ  “Establishment  Cause”において、新規値として“Manual  CSG  ID  Selection”を設定することでも、手動選択したことの通知を実現できる（図１３、図１４）。
【００９３】
また、上記RRC  Connection  Request  messageの代わりに、RRC  Connection  Setup  Complete  message送信時に、手動選択をしたことを示す新規パラメータ“Manual  CSG  ID  Selection”を設定することでも、手動選択したことの通知を実現できる(図１５、図１６)。
【００９４】
また、上記RRC  Connection  Request  messageの代わりに、RRC  Initial  Direct  Transfer  message送信時に、手動選択をしたことを示す新規パラメータ“Manual  CSG  ID  Selection”もしくは、既存パラメータ  “Establishment  Cause”において、新規値として“Manual  CSG  ID  Selection”を設定することでも、手動選択したことの通知を実現できる。(図１７、図１８、図１４)
また、上記RRC  Connection  Request  messageの代わりに、RRC  Uplink  Direct  Transfer  (MM[Mobility  Management]:  Identity  Response)送信において、手動選択をしたことを示す新規パラメータ“Manual  CSG  ID  Selection”を設定することでも、手動選択したことの通知を実現できる(図１９、図２０)。
【００９５】
なお、UE４００は、上記メッセージに手動選択をしたことを示す新規パラメータ“Manual  CSG  ID  Selection”を設定する場合、図２１のような設定を行う。また、UE４００は、上記メッセージの既存パラメータ  “Establishment  Cause”において、新規値として“Manual  CSG  ID  Selection”を設定する場合、図２２または図２３のような設定を行う。
【００９６】
また、図１１において、H(e)NB３００がH(e)NB  GW２００へUE  Registration  Procedureを行うとき、H(e)NB３００は、前述の通りに、UE４００からの接続要求が手動選択によるものを知っているとき、H(e)NB  GW２００へ送信するHNBAP:  UE  Register  Request  messageには、手動選択をしたことを示すIndicator  “Manual  CSG  ID  Selection”を設定している。そのため、H(e)NB  GW２００において、許容UEリストを利用したアクセスコントロールをしない制御が実現できる。
【００９７】
このように、本実施形態では、H(e)NB３００からH(e)NB  GW２００へ送信するHNBAP:  UE  Register  Request  messageにおいて、手動選択をしたことを示すIndicator  “Manual  CSG  ID  Selection”を設定しているので、H(e)NB  GW２００における許容UEリストを利用したアクセスコントロールをしない制御が実現できる。
【００９８】
なお、上記HNBAP:  UE  Register  Request  messageにおいて、手動選択をしたことを示す新規パラメータ“Manual  CSG  ID  Selection”の代わりに、既存パラメータ  “Register  Cause”において、新規値として“Manual  CSG  ID  Selection”を設定することでも、手動選択したことの通知を実現できる(図２４)。
【００９９】
その後、UE４００は、Core  Network  Node１００と接続することになる。よって、Core  Network  Node１００では、UE４００が選択したCSGへ接続が許容されるかどうかのアクセスコントロールを実施することが可能である。
【０１００】
さらには、本実施形態では、H(e)NB３００でUEブラックリストによるアクセスコントロールを行うので、不正もしくは実装ミスなどのUE４００の接続要求については、H(e)NB３００においてアクセスコントロールを実施して、H(e)NB  GW２００でのアクセスコントロールの負荷及びCore  Network  Node１００でのアクセスコントロールの負荷を減らすこともできる。
【０１０１】
図１１における、H(e)NB３００でのアクセスコントロールの動作を図２５に示す。
【０１０２】
図２５のステップ１において、H(e)NB３００は、UE４００からのRRC  Connection  Request  messageを受信時、以下の処理を行う。
1)  新規パラメータ“Manual  CSG  ID  Selection”が含められている場合、当該UE４００をUEブラックリスト登録メモリ３００６と比較する。
1-1)  当該UE４００がUEブラックリスト登録メモリ３００６に含められている場合、当該UE４００の接続を拒否し、リソースの解放を実施する。
1-2)  UEブラックリスト登録メモリ３００６に当該UE４００が含められていない場合、当該UE４００の接続を許容し、接続処理を継続する。
2)  新規パラメータ“Manual  CSG  ID  Selection”が含められていない場合、当該UE４００を許容UEリスト登録メモリと比較する。
2-1)許容UEリスト登録メモリ３００５に当該UE４００が含められていない場合、当該UE４００の接続を拒否し、リソースの解放を実施する。
2-2)許容UEリスト登録メモリ３００５に当該UE４００が含められている場合、当該UE４００の接続を許容し、接続処理を継続する。
【０１０３】
次に、H(e)NB  GW２００は、H(e)NB３００から受信したHNBAP:  UE  Register  Request  messageにおいて、手動選択をしたことを示す新規パラメータ“Manual  CSG  ID  Selection”が設定されていたとしても、UE４００のアクセスコントロールを行うことを可能とする。例えば、H(e)NB  GW２００におけるUEブラックリスト登録メモリ２００６に、当該UE４００が含められている場合、H(e)NB３００は、H(e)NB  GW２００から、HNBAP:  UE  Register  Reject  messageを受信する。そのときの拒否理由は、Manual  CSG  ID  Selectionによって選択されたCSGは利用できないことを意味する値(例えば、Selected  CSG  not  Allowed)となる。
【０１０４】
ここでは、H(e)NB  GW２００は、UEブラックリスト登録メモリ２００６を用いて接続の許容を判断しているが、UE-CSG関係登録データ１００５を確認できる場合、当該UE４００が接続するCSGがUE-CSG関係登録データ１００５において許容されているかどうかを確認することでも、接続の許容を判断可能である。
【０１０５】
図２５のステップ２において、H(e)NB３００は、H(e)NB  GW２００からのHNBAP:  UE  Registrer  Reject  messageを受信時、以下の処理を行う。
1)  拒否理由がSelected  CSG  not  Allowedである場合、当該UE４００をUEブラックリスト登録メモリ３００６に保持するよう更新すると共に、当該UE４００の解放処理を行う。
2)  拒否理由がSelected  CSG  not  Allowedでない場合、当該UE４００の解放処理を行うのみである。
【０１０６】
また、図２５のステップ３において、H(e)NB３００は、Core  Network  Node１００からのRANAP:  Iu  Release  Commandを受信時、以下の処理を行う。
1)  Release  CauseがManual  CSG  ID  Selectionによって選択されたCSGは利用できないことを意味する値(例えば、Selected  CSG  not  Allowed)である場合、当該UE４００をUEブラックリスト登録メモリ３００６に保持するよう更新すると共に、当該UE４００の解放処理を行う。
2)  Release  CauseがSelected  CSG  not  Allowed以外の場合、当該UE４００の解放処理を行うのみである。
【０１０７】
このように、本実施形態では、H(e)NB３００は、H(e)NB  GW２００から、拒否理由  =  Selected  CSG  not  AllowedのHNBAP  UE  Register  Reject  messageを受信すること、または、Core  Network  Node１００から、Release  Cause  =  Selected  CSG  not  AllowedのRANAP:  Iu  Release  Commandを受信することで、当該UE４００をUEブラックリスト３００６に追加する。
【０１０８】
それにより、H(e)NB３００は、UE４００からのRRC  Connection  Request  messageに手動選択をしたことを示すIndicator  “Manual  CSG  ID  Selection”が設定されていたとしても、H(e)NB３００におけるアクセスコントロールを無効とせず、有効とすることが実現できる。そのため、不正もしくは実装ミスなどのUE４００の接続要求については、H(e)NB３００においてアクセスコントロールを実施して、H(e)NB  GW２００でのアクセスコントロールの負荷及びCore  Network  Node１００でのアクセスコントロールの負荷を減らすことができる。
【０１０９】
なお、本実施形態において、H(e)NB３００は、UEブラックリスト３００６の追加のトリガーを、H(e)NB  GW２００から、拒否理由  =  Selected  CSG  not  AllowedのHNBAP  ＵＥ  Register  Reject  messageを受信すること、または、Core  Network  Node１００から、Release  Cause  =Selected  CSG  not  AllowedのRANAP:  Iu  Release  Commandを受信することとしているが、ＴＲ０６９（エンド・ユーザ機器の遠隔管理のためのアプリケーション層のプロトコル）を利用してブラックリストのUE４００を設定することも可能とする。
【０１１０】
つまり、図２５のステップ４において、H(e)NB３００は、許容UEリスト登録メモリ３００５の更新メッセージまたはUEブラックリスト登録メモリ３００６の更新メッセージを、ＴＲ０６９利用によって受信した場合、許容UEリスト登録メモリ３００５またはUEブラックリスト登録メモリ３００６を更新する。
【０１１１】
さらには、本実施形態では、H(e)NB３００は、UEブラックリストによるアクセスコントロールを実施するので、不正もしくは実装ミスなどのUE４００の接続要求については、H(e)NB３００でアクセスコントロールして、H(e)NB  GW２００でのアクセスコントロールの負荷及びCore  Network  Node１００でのアクセスコントロールの負荷を減らすこともできる。
【０１１２】
図１１における、H(e)NB  GW２００でのアクセスコントロールの動作を図２６に示す。
【０１１３】
図２６のステップ１において、H(e)NB  GW２００は、UE４００からのHNBAP  UE  Register  Request  messageを受信時、以下の処理を行う。
1)  新規パラメータ“Manual  CSG  ID  Selection”が含められている場合、当該UE４００をUEブラックリスト登録メモリ２００６と比較する。
1-1)  UEブラックリスト登録メモリ２００６に当該UE４００が含められている場合、当該UE４００の接続を拒否し、リソースの解放を実施する。
1-2)  UEブラックリスト登録メモリ２００６に当該UE４００が含められていない場合、当該UE４００の接続を許容し、接続処理を継続する。
2)  新規パラメータ"Manual  CSG  ID  Selection”が含められていない場合、当該UE４００を許容UEリスト登録メモリ２００５と比較する。
【０１１４】
2-1)  許容UEリスト登録メモリ２００５に当該UE４００が含められていない場合、当該UE４００の接続を拒否し、リソースの解放を実施する。
2-2)  許容UEリスト登録メモリ２００５に当該UE４００が含められている場合、当該UE４００の接続を許容し、接続処理を継続する。
【０１１５】
次に、図２６のステップ２において、H(e)NB  GW２００は、Core  Network  Node１００からのRANAP:  Iu  Release  Commandを受信時、以下の処理を行う。
1)  Release  CauseがManual  CSG  ID  Selectionによって選択されたCSGは利用できないことを意味する値(例えば、Selected  CSG  not  Allowed)である場合、当該UE４００をUEブラックリスト登録メモリ２００６に保持するよう更新すると共に、当該UE４００の解放処理を行う。
2)  Release  CauseがSelected  CSG  not  Allowed以外の場合、当該UE４００の解放処理を行うのみである。
【０１１６】
このように、本実施形態では、H(e)NB  GW２００は、Core  Network  Node１００からRelease  Cause  =  Selected  CSG  not  AllowedのRANAP:  Iu  Release  Commandを受信することで、当該UE４００をUEブラックリスト２００６に追加する。
【０１１７】
それにより、H(e)NB  GW２００は、UE４００からのHNBAP  UE  Register  Request  messageに手動選択をしたことを示すIndicator  “Manual  CSG  ID  Selection”が設定されていたとしても、H(e)NB  GW２００におけるアクセスコントロールを無効とせず、有効とすることが実現できる。そのため、不正もしくは実装ミスなどのUE４００の接続要求については、H(e)NB  GW２００においてアクセスコントロールを実施して、Core  Network  Node１００でのアクセスコントロールの負荷を減らすことができる。
【０１１８】
なお、本実施形態において、H(e)NB  GW２００は、UEブラックリストの追加のトリガーを、Core  Network  Node１００から、Release  Cause  =  Selected  CSG  not  AllowedのRANAP:  Iu  Release  Commandを受信することとしているが、ＴＲ０６９（エンド・ユーザ機器の遠隔管理のためのアプリケーション層のプロトコル）を利用してブラックリストのUEを設定することも可能とする。許容UEリスト登録メモリも同様の手段で設定可能とする。
【０１１９】
つまり、図２６のステップ３において、H(e)NB  GW２００は、許容UEリスト登録メモリ２００５の更新メッセージまたはUEブラックリスト登録メモリ２００６の更新メッセージを、ＴＲ０６９利用によって受信した場合、許容UEリスト登録メモリ２００５またはUEブラックリスト登録メモリ２００６を更新する。
【０１２０】
さらには、本実施形態では、H(e)NB３００及びH(e)NB  GW２００でのアクセスコントロールにおけるUEブラックリストにおいて、有効時間、登録可能最大数、最大UE登録時の最古UE削除手段、及び最新新UE登録手段を備えているため、H(e)NB３００及びH(e)NB  GW２００でのメモリ使用量の節約と、処理負荷の低減と、を実現することもできる。
【０１２１】
図４における、H(e)NB及びH(e)NB  GWでのUEブラックリストの登録・削除動作を図２７に示す。
【０１２２】
図２７において、H(e)NB３００及びH(e)NB  GW２００でのUEブラックリストには、UE４００毎にUEブラックリストに登録されたままでよい有効時間を示すタイマーが管理されている。
1)  タイマーが満了すると、当該UE４００はUEブラックリストから削除される。
【０１２３】
UEブラックリストには、最大登録可能UE数の上限が設けられている。
2）新規のUE４００の登録においては、以下の処理が行われる。
2-1)  UEブラックリストに最大登録数分のUE４００が登録されていない場合、空き領域に新規のUE４００が登録される。
2-2)  UEブラックリストに最大登録数分のUE４００が登録されている場合、最古のUE４００が削除され、新規のUE４００が登録される。例えば、前記のタイマーにおいて残り時間が最も少ない状態にあるUE４００が削除される。
【０１２４】
このように、本実施形態では、H(e)NB３００及びH(e)NB  GW２００でのUEブラックリストにおいて管理するUE４００の数、UE４００の有効時間、登録UE数の上限、タイマー処理数の上限、最大UE登録時の最古UE削除手段、及び最新UE登録手段を備えているため、H(e)NB３００及びH(e)NB  GW２００でのメモリ使用量の節約と、処理負荷の低減と、を実現することもできる。
【０１２５】
なお、本実施形態において、
3)  UEブラックリスト登録メモリの更新メッセージをＴＲ０６９（エンド・ユーザ機器の遠隔管理のためのアプリケーション層のプロトコル）を利用して受信時、UEブラックリストにおいて登録されたUEのいくつかを、除外設定することも可能とする。
【０１２６】
このように、本実施形態では、H(e)NB３００及びH(e)NB  GW２００でのUEブラックリストを外部から更新する手段をもつため、実装ミスのUE４００が後に修理された場合や、ユーザの手動選択ミスが後に訂正された場合に、不要なUE４００の登録を削除することができ、H(e)NB３００及びH(e)NB  GW２００でのメモリ使用量の節約と、処理負荷の低減と、を実現することができる。
【０１２７】
また、本実施形態において、有効時間を示すタイマーは、H(e)NB３００及びH(e)NB  GW２００において、内部パラメータとして保持してもよい。ただし、前述のCore  Network  Node１００から受信する、Release  Cause  =  Selected  CSG  not  AllowedのRANAP:  Iu  Release  Command  message、H(e)NB３００の場合はH(e)NB  GW２００から受信する、拒否理由  =  Selected  CSG  not  AllowedのHNBAP  UE  Register  Reject  message、または、ＴＲ０６９利用によって受信するUEブラックリスト登録メモリ３００６及び２００６の更新メッセージにおいて、有効時間タイマーの値が通知されても良い。
【０１２８】
なお、CSG  IDをブロードキャストするフェムトセル５０１を構成するH(e)NB３００へのアクセスには、当該CSG  IDをAllowed  CSG  Listとして含めるUE４００の正規ユーザによるアクセスと、当該CSG  IDをManual  CSG  ID  SelectionによってUE４００に選択させるユーザによるアクセスとが混在する。
【０１２９】
ショッピングセンターなど混んだ地域などでは、非常に多くのユーザがフェムトセル５０１のCSG  IDを選択することで、H(e)NB３００を含むネットワーク側の輻輳が発生することが予想され、正規ユーザによるH(e)NB３００へのアクセスが規制されてしまうことが考えられる。
【０１３０】
そのため、本実施形態のように、当該CSG  IDをManual  CSG  ID  SelectionによってUE４００に選択させるユーザによるアクセスにおいて、RRC  MessageにユーザがManual  CSG  ID  Selectionによって選択したことをパラメータ「Manual  CSG  ID  Selection」として設定するか、もしくは、Establishment  Causeに値Manual  CSG  ID  Selectionを設定することで、H(e)NB３００が当該CSG  IDをManual  CSG  ID  SelectionによってUE４００に選択させるユーザによるアクセスを識別する事を可能とし、その接続要求に対して、H(e)NB３００が接続拒否するなどのアクセスコントロールを実施することが可能である。
【０１３１】
なお、正規ユーザによるManual  CSG  ID  Selectionにおいて、Allowed  CSG  Listに含まれるH(e)NB３００のCSG  IDをユーザが選択して、正規ユーザによるH(e)NB３００へのアクセスが行われる場合に、パラメータ「Manual  CSG  ID  Selection」として設定するか、もしくは、Establishment  Causeに値「Manual  CSG  ID  Selection」を設定してしまうと、正規ユーザ以外のユーザによるアクセスと正規ユーザによるアクセスとの識別が困難になってしまう事が考えられる。
【０１３２】
そのため、Allowed  CSG  Listに含まれない当該CSG  IDをManual  CSG  ID  SelectionによってUE４００に選択させるユーザによるアクセスにおいて、RRC  Messageに正規ユーザ以外のユーザがManual  CSG  ID  Selectionによって選択したことをパラメータ「Manual  CSG  ID  Selection2」として設定するか、もしくは、Establishment  Causeに値「Manual  CSG  ID  Selection2」を設定することで、H(e)NB３００が当該CSG  IDをManual  CSG  ID  SelectionによってUE４００に選択させる非正規ユーザによるアクセスを識別する事を可能とし、非正規ユーザによる接続要求に対して、H(e)NB３００が接続拒否するなどのアクセスコントロールを実施することが可能である。
【０１３３】
（第３の実施形態）
本実施形態の基本的構成は、第１の実施形態の通りであるが、ユーザ手動選択によってCSGが選択されたことをH(e)NB３００及びH(e)NB  GW２００に通知する理由と、ユーザ手動選択によってCSGが選択された場合の動作をさらに工夫している。その動作を図２８に示す。
【０１３４】
図２８において、無線通信システムのH(e)NB３００及びH(e)NB  GW２００は、無線リソース管理やネットワークリソース管理などを理由として、H(e)NB  GW２００及びH(e)NB３００に接続されるUE４００の接続先再設定を行う。
【０１３５】
例えば、H(e)NB３００は、当該H(e)NB３００に接続されているUE４００を、当該H(e)NB３００の無線リソース不足やネットワークリソース不足を理由に、Node  B１０２やeNB１０３へのハンドオーバを起動したり、近隣のH(e)NB３００へのハンドオーバを起動したりするUE４００の接続先再設定を実施することが考えられる。
【０１３６】
また、H(e)NB  GW２００も、当該H(e)NB  GW２００に接続されているUE４００を当該H(e)NB  GW２００のネットワークリソース不足や処理能力不足を理由に、Node  B１０２やeNB１０３へのハンドオーバを起動したり、別のH(e)NB  GW２００配下のH(e)NB３００へのハンドオーバを起動したりするUE４００の接続先再設定を実施することが考えられる。
【０１３７】
しかし、ユーザ手動選択によってCSGを選択した場合、ユーザが使用するUE４００は、選択されたCSGのH(e)NB３００に接続することが求められる。その理由は、例えば、Core  Network  Node１００との接続によってUE４００のAllowed  CSG  Listの更新手順を行うという目的、選択したCSGのエリアでは低料金で通信ができるという目的、選択したCSGのエリアでは高速データ通信サービスが実施可能という目的、または、選択したCSGのエリア限定の情報を取得するという目的などを満足するためである。
【０１３８】
本実施形態では、これらの目的を満足するために、ユーザにより手動選択によってCSGが選択されたことを、UE４００からH(e)NB３００に通知するメッセージに付与するとともに、H(e)NB３００からH(e)NB  GW２００に通知するメッセージに付与することを特徴とする。
【０１３９】
このように、本実施形態では、ユーザ手動選択によってCSGが選択されたことを、UE４００からH(e)NB３００に通知するメッセージと、H(e)NB３００からH(e)NB  GW２００に通知するメッセージに付与しているので、H(e)NB３００は、UE４００が接続しているセルもしくはそのセルと同じCSGを持つセルに、UE４００を再接続することが可能である。
【０１４０】
その結果、Core  Network  Node１００との接続によってUE４００のAllowed  CSG  Listの更新手順を行うという目的、選択したCSGのエリアでは低料金で通信ができるという目的、選択したCSGのエリアでは高速データ通信サービスが実施可能という目的、または、選択したCSGのエリア限定の情報を取得するという目的などを満足させることができるという効果が得られる。
【０１４１】
なお、UE４００が再接続により他のセルに移動する場合、以下のようにして、ユーザ手動選択によってCSGが選択されたことを、移動先基地局装置（Target  H(e)NB３０１）に通知することも可能である。
1)  UE４００は、他のCellへ移動するとき、Target  H(e)NB３０１が構成するフェムトセルの情報を、RRC:  Measurement  Reportとして、移動元基地局装置（Source  H(e)NB３００）に報告する。ここで報告する情報は、例えば、Target  H(e)NB３０１が構成するフェムトセルの無線品質情報（H(e)NBから送信される電力の雑音・干渉に対する相対強度、H(e)NBから送信される電力のUEの位置での受信強度、H(e)NBからUEへの電力減衰）などである。
2)  Source  H(e)NB３００は、Relocation  Required  messageを、H(e)NB  GW２００もしくは上位ノードのCore  Network  Nodeに通知する。このとき、Relocation  Required  messageの新規パラメータもしくはRelocation  Required  messageに含まれるRRC  Containerに、「手動選択したこと」を設定する。
3)  H(e)NB  GW２００もしくは上位ノードのCore  Network  Nodeは、Target  H(e)NB３０１へ、Relocation  Request  messageを通知する。Source  H(e)NBから受信したRelocation  Required  messageに「手動選択したこと」が設定されているとき、Relocation  Request  messageに「手動選択したこと」を示す新規パラメータを設定する。もしくはRelocation  Request  messageに含まれるRRC  Containerに、「手動選択したこと」が設定されていて、Source  H(e)NB３００から受信したRRC  ContainerをそのままTarget  H(e)NB３００に通知される。
4)  Target  H(e)NB３０１は、上記手順により、当該UE４００がCSGを「手動選択して」接続していることを認識できる。
【０１４２】
（第４の実施形態）
本実施形態の基本的構成は、第１の実施形態の通りであるが、ユーザ手動選択によってマクロセルが選択された場合の動作を工夫している。
【０１４３】
本実施形態では、ユーザ手動選択によってCSGではなく、マクロセルを選択する場合も、第２の実施形態と同様に、ユーザの手動選択によってマクロセルを選択したことを、UE４００から、Node  B１０２、RNC１０１、eNB１０３、Core  Network  Node１００に通知することを特徴とする。
【０１４４】
このように、本実施形態では、ユーザ手動選択によってマクロセルが選択されたことを、UE４００からマクロセルのネットワークノードに通知しているため、マクロセルのネットワークノードは、UE４００をマクロセルに再接続することが可能であり、UE４００をフェムトセルへの再接続をさせることなく、マクロセルのネットワークとの接続を維持することが可能となる。
【０１４５】
その結果、フェムトセルで課金される追加料金をユーザが支払うことなく通信を継続できるという目的、または、高速移動するユーザが広範囲のカバレッジを持つマクロセルとの通信を通して、安定してサービスを受けられるという目的等を満足させることができるという効果が得られる。
【０１４６】
（第５の実施形態）
本実施形態は、IMS（IP  Multimedia  Subsystem）-Femto  Architecture方式の無線通信ステムに適用したものである。
【０１４７】
図２９を参照すると、本実施形態の無線通信システムの構成が示されている。
【０１４８】
図２９において、無線通信システムは、CNGW２００Ａと、H(e)NB３００Ａと、UE４００Ａと、を有している。
【０１４９】
なお、本実施形態は、第１の実施形態と比較して、ネットワーク側のArchitectureのみが異なり、各部間でやり取りするメッセージは第１の実施形態と同様である。
【０１５０】
なお、以上の実施形態においては、フェムト、ＬＴＥ、IMS等の無線通信システムを例として説明した。しかし、本発明はこれらシステムに限られず、無線通信端末及び基地局装置またはゲートウェイを有するほかの無線通信システムにも適用できる。
【０１５１】
なお、以上の実施形態においては、セルに付与された名称または限定加入者グループあるいはマクロセルを、ユーザが１つ選択する場合について説明した。しかし、本発明はこれらシステムに限られず、複数を選択するようにしても良い。この場合、ＵＥは「セルに関する情報の選択を示す情報」として、以下の情報を基地局装置に送信するようにしても良い。
（１）複数選択したことを示す情報
（２）選択した複数のセルの識別情報（セル識別子あるいはＣＳＧ  ＩＤ）
なお、フェムト、ＬＴＥ、IMS等の無線通信システムを例として説明した。しかし、本発明はこれらシステムに限られず、無線通信端末及び基地局装置またはゲートウェイを有するほかの無線通信システムにも適用できる。
【０１５２】
なお、図１１および２８のフローチャートに示す処理を、それぞれに装置に設けられたＣＰＵが実行するためのプログラムは、本発明によるプログラムを構成する。このプログラムを記録する記録媒体としては、半導体記憶部や光学的及び／又は磁気的な記憶部等を用いることができる。このようなプログラム及び記録媒体を、前述した各実施形態とは異なる構成のシステム等で用い、そこのＣＰＵで上記プログラムを実行させることにより、本発明と実質的に同じ効果を得ることができる。
【０１５３】
以上、本発明を好適な実施形態に基づき具体的に説明したが、本発明は上記のものに限定されるものではなく、その要旨を逸脱しない範囲で種々変更可能であることは言うまでもない。
【０１５４】
本出願は、２００９年３月１３日に出願された日本出願特願２００９−０６１７１９を基礎とする優先権を主張し、その開示の全てをここに取り込む。
【図１】
2010104076.tif 000003
【図２】
2010104076.tif 000004
【図３】
2010104076.tif 000005
【図４】
2010104076.tif 000006
【図５】
2010104076.tif 000007
【図６】
2010104076.tif 000008
【図７】
2010104076.tif 000009
【図８】
2010104076.tif 000010
【図９】
2010104076.tif 000011
【図１０】
2010104076.tif 000012
【図１１】
2010104076.tif 000013
【図１２】
2010104076.tif 000014
【図１３】
2010104076.tif 000015
【図１４】
2010104076.tif 000016
【図１５】
2010104076.tif 000017
【図１６】
2010104076.tif 000018
【図１７】
2010104076.tif 000019
【図１８】
2010104076.tif 000020
【図１９】
2010104076.tif 000021
【図２０】
2010104076.tif 000022
【図２１】
2010104076.tif 000023
【図２２】
2010104076.tif 000024
【図２３】
2010104076.tif 000025
【図２４】
2010104076.tif 000026
【図２５】
2010104076.tif 000027
【図２６】
2010104076.tif 000028
【図２７】
2010104076.tif 000029
【図２８】
2010104076.tif 000030
【図２９】
2010104076.tif 000031
【手続補正書】
【提出日】平成22年6月9日(2010.6.9)
【手続補正１】
【補正対象書類名】特許請求の範囲
【補正対象項目名】全文
【補正方法】変更
【補正の内容】
【特許請求の範囲】
【請求項１】
基地局装置と、無線通信端末とを備える無線通信システムであって、
前記無線通信端末が、
ユーザ選択部により前記基地局装置のセルまたは当該セルのセルグループを選択し、
前記ユーザ選択部による前記セルまたは前記セルグループの選択を示す情報を前記基地局装置に送信し、
前記基地局装置が、
前記情報を受信する、無線通信システム。
【請求項２】
請求項１に記載の無線通信システムにおいて、
前記基地局装置が、
前記無線通信端末の接続先の決定に際して、当該無線通信端末の前記ユーザ選択部により選択されたセルもしくは選択されたセルと同一のセルグループのセル、または、当該無線通信端末の前記ユーザ選択部により選択されたセルグループのセルを接続対象とする、無線通信システム。
【請求項３】
請求項２に記載の無線通信システムにおいて、
前記基地局装置が、
前記無線通信端末が、前記ユーザ選択部により選択されたセルもしくはセルグループに接続要求をした時に、当該基地局装置との接続が許容される無線通信端末の許容リストを利用したアクセスコントロールを実施しない、無線通信システム。
【請求項４】
請求項３に記載の無線通信システムにおいて、
前記基地局装置が、
当該基地局装置との接続が拒否される無線通信端末のブラックリストを管理し、
前記無線通信端末が、前記ユーザ選択部により選択されたセルもしくはセルグループに接続要求をした時に、前記ブラックリストを利用したアクセスコントロールを実施する、無線通信システム。
【請求項５】
請求項４に記載の無線通信システムにおいて、
前記基地局装置が許容リストを利用したアクセスコントロールを実施しない場合に、前記無線通信端末との接続可否を判断し、接続を拒否する場合、当該無線通信端末を前記基地局装置のブラックリストに追加するコアネットワークノードをさらに有する、無線通信システム。
【請求項６】
請求項５に記載の無線通信システムにおいて、
前記基地局装置のブラックリストには、当該ブラックリストに前記無線通信端末が存続することが可能な有効時間が設定されている、無線通信システム。
【請求項７】
請求項６に記載の無線通信システムにおいて、
前記有効時間は、前記基地局装置の上位ノードから指定される、無線通信システム。
【請求項８】
請求項５から７のいずれか１項に記載の無線通信システムにおいて、
前記基地局装置のブラックリストには、前記無線通信端末の登録可能な最大数が設定されている、無線通信システム。
【請求項９】
請求項８に記載の無線通信システムにおいて、
前記基地局装置のブラックリストは、最大数の前記無線通信端末が登録されている状態で新規の無線通信端末を登録する場合、当該新規の無線通信端末の登録と最古の無線通信端末の削除が可能である、無線通信システム。
【請求項１０】
請求項１に記載の無線通信システムにおいて、
ゲートウェイ装置をさらに有し、
前記基地局装置が、
前記無線通信端末の前記ユーザ選択部による前記セルグループまたは前記セルの選択を示す情報を前記ゲートウェイ装置に送信し、
前記ゲートウェイ装置が、
前記情報を受信する、無線通信システム。
【請求項１１】
請求項１０に記載の無線通信システムにおいて、
前記ゲートウェイ装置が、
前記無線通信端末の接続先の決定に際して、当該無線通信端末の前記ユーザ選択部により選択されたセルもしくは選択されたセルと同一のセルグループのセル、または、当該無線通信端末の前記ユーザ選択部により選択されたセルグループのセルを接続対象とする、無線通信システム。
【請求項１２】
請求項１１に記載の無線通信システムにおいて、
前記ゲートウェイ装置が、
前記無線通信端末が、前記ユーザ選択部により選択されたセルもしくはセルグループに接続要求をした時に、当該ゲートウェイ装置との通信が許容される無線通信端末の許容リストを利用したアクセスコントロールを実施しない、無線通信システム。
【請求項１３】
請求項１２に記載の無線通信システムにおいて、
前記ゲートウェイ装置が、
当該ゲートウェイ装置との接続が拒否される無線通信端末のブラックリストを管理し、
前記無線通信端末が、前記ユーザ選択部により選択されたセルもしくはセルグループに接続要求をした時に、前記ブラックリストを利用したアクセスコントロールを実施する、無線通信システム。
【請求項１４】
請求項１３に記載の無線通信システムにおいて、
前記ゲートウェイ装置が許容リストを利用したアクセスコントロールを実施しない場合に、前記無線通信端末との接続可否を判断し、接続を拒否する場合、当該無線通信端末を前記ゲートウェイ装置のブラックリストに追加するコアネットワークノードをさらに有する、無線通信システム。
【請求項１５】
請求項１４に記載の無線通信システムにおいて、
前記ゲートウェイ装置のブラックリストには、当該ブラックリストに前記無線通信端末が存続することが可能な有効時間が設定されている、無線通信システム。
【請求項１６】
請求項１５に記載の無線通信システムにおいて、
前記有効時間は、前記ゲートウェイ装置の上位ノードから指定される、無線通信システム。
【請求項１７】
請求項１４から１６のいずれか１項に記載の無線通信システムにおいて、
前記ゲートウェイ装置のブラックリストには、前記無線通信端末の登録可能な最大数が設定されている、無線通信システム。
【請求項１８】
請求項１７に記載の無線通信システムにおいて、
前記ゲートウェイ装置のブラックリストは、最大数の前記無線通信端末が登録されている状態で新規の無線通信端末を登録する場合、当該新規の無線通信端末の登録と最古の無線通信端末の削除が可能である、無線通信システム。
【請求項１９】
請求項１に記載の無線通信システムにおいて、
前記基地局装置が、
前記無線通信端末から、前記無線通信端末の前記ユーザ選択部によるマクロセルの選択を示す情報を受信し、
前記無線通信端末の接続先の決定に際して、当該無線通信端末の前記ユーザ選択部により選択されたマクロセルもしくは近隣のマクロセルを接続対象とする、無線通信システム。
【請求項２０】
請求項１に記載の無線通信システムにおいて、
基地局制御装置をさらに有し、
前記基地局装置が、
前記無線通信端末から、前記無線通信端末の前記ユーザ選択部によるマクロセルの選択を示す情報を受信し、前記情報を前記基地局制御装置に送信し、
前記基地局制御装置が、
前記情報を受信する、無線通信システム。
【請求項２１】
請求項２０に記載の無線通信システムにおいて、
前記基地局制御装置が、
前記無線通信端末の接続先の決定に際して、当該無線通信端末の前記ユーザ選択部により選択されたマクロセルもしくは近隣のマクロセルを接続対象とする、無線通信システム。
【請求項２２】
基地局装置であって、
無線通信端末のユーザ選択部による、前記基地局装置のセルまたは当該セルのセルグループの選択を示す情報を、前記無線通信端末から受信する受信部を有する基地局装置。
【請求項２３】
無線通信端末であって、
ユーザが基地局装置のセルまたは当該セルのセルグループを選択するユーザ選択部と、
前記ユーザ選択部による前記セルまたは前記セルグループの選択を示す情報を前記基地局装置に送信する送信部と、有する無線通信端末。
【請求項２４】
ゲートウェイ装置であって、
無線通信端末のユーザ選択部による、基地局装置のセルまたは当該セルのセルグループの選択を示す情報を、前記基地局装置から受信する受信部を有するゲートウェイ装置。
【請求項２５】
基地局装置と、無線通信端末とを備える無線通信システムによる通信方法であって、
前記無線通信端末が、ユーザ選択部により前記基地局装置のセルまたは当該セルのセルグループを選択し、
前記無線通信端末が、前記ユーザ選択部による前記セルまたは前記セルグループの選択を示す情報を前記基地局装置に送信し、
前記基地局装置が、前記情報を受信する、通信方法。
【請求項２６】
基地局装置による通信方法であって、
無線通信端末のユーザ選択部による、前記基地局装置のセルまたは当該セルのセルグループの選択を示す情報を、前記無線通信端末から受信する、通信方法。
【請求項２７】
無線通信端末による通信方法であって、
ユーザ選択部により基地局装置のセルまたは当該セルのセルグループを選択し、
前記ユーザ選択部による前記セルまたは前記セルグループの選択を示す情報を前記基地局装置に送信する、通信方法。
【請求項２８】
ゲートウェイ装置による通信方法であって、
無線通信端末のユーザ選択部による、基地局装置のセルまたは当該セルのセルグループの選択を示す情報を、前記基地局装置から受信する、通信方法。
【国際調査報告】
2010104076.tif 000032
2010104076.tif 000033
2010104076.tif 000034
2010104076.tif 000035